(57)【要約】      （修正有）【課題】多段式折り畳み傘の骨架改良構造を提供する。【解決手段】本構造は、内から外に順に、一節の主骨１０、一節の中骨３０、及び、一節の尾骨４０を枢結し、短骨２０により、外端を主骨中段に枢結し、及び、引き線により両端を主骨外端と尾骨内端に連接して、傘骨架ユニットを構成する。中骨は、第一分枝中骨３１と第二分枝中骨３２からなり、外端は第一分枝尾骨４１と第二分枝尾骨４２内端と枢結し、内端は、主骨外端に枢結された連接部６０に結合し、引き線７０は、第一引き線７１と第二引き線７２からなり、それぞれ、外端と第一分枝尾骨、第二分枝尾骨が枢結し、内端は主骨外端両側に枢結する。構成された傘骨架は、主骨と短骨内端がそれぞれ、傘中棒５０の上巣と下巣に枢結されて、各傘骨架外端がY字型枝構造に展開し、傘面外周を密集して支承し、傘の美観を維持し、また、傘骨素子の数量を増加する必要がなく、折り畳むと体積が小さく、重量が軽く、携帯に便利である。【選択図】図１１
0003148319.tif 000002
【実用新案登録請求の範囲】
【請求項１】
多段式折り畳み傘の骨架改良構造であって、内から外に順に、一節の主骨、一節の中骨、及び、一節の尾骨を枢結し、短骨により、外端を前記主骨中段に枢結し、前記主骨と前記短骨は、それぞれ、傘中棒の上巣と下巣に枢結され、引き線により両端を前記主骨外端と前記尾骨内端に連接して、傘骨架構造を構成し、その特徴は、前記中骨は、第一分枝中骨と第二分枝中骨からなり、内端が前記主骨外端に枢結された連接部に結合し、外端が第一分枝尾骨、第二分枝尾骨内端と枢結し、前記引き線は、第一引き線と第二引き線からなり、それぞれ、外端が前記第一分枝尾骨、前記第二分枝尾骨と枢結し、内端は前記主骨外端両側に枢結し、前記骨架を展開する時、外端が展開して、傘面のY字型枝構造を密集して支承することを特徴とする多段式折り畳み傘の骨架改良構造。
【請求項２】
前記第一分枝中骨と前記第二分枝中骨の内端は剛性材料で、前記連接部と枢結することを特徴とする請求項１に記載の多段式折り畳み傘の骨架改良構造。
【請求項３】
前記連接部は外端が大開口の扁平スリーブで、前記第一分枝中骨と前記第二分枝中骨内端を挿入し、軸鞘を前記扁平スリーブに穿設して枢結し、前記第一分枝中骨と前記第二分枝中骨は、前記連接部外端の大開口で一定角度開くことができることを特徴とする請求項１に記載の多段式折り畳み傘の骨架改良構造。
【考案の詳細な説明】
【技術分野】
【０００１】
本考案は、傘面外周を密集支承し、美観を維持する傘の骨架構造に関するものである。
【背景技術】
【０００２】
公知の多段式折り畳み傘の骨架において、各一組の径向きの傘骨素子は、どれも、少なくとも一本の主骨（三つ折りは一主骨、四つ折り傘は二主体）、中骨と尾骨を内側から外に順に連接してなり、傘面は一般に円形であるので、中心から外に放射状である骨架は中棒から近いほど分布が稀で、傘面中央部位が過度に支承され、傘面外周が支承不足になり、外周の傘面が下に崩れて、傘面の美観が損なわれる。
【考案の開示】
【考案が解決しようとする課題】
【０００３】
本考案の目的は、公知の多段式折り畳み傘の骨架の傘面外周の支承不足で、傘面外周が崩れる欠点に対し改良を加え、多段式折り畳み傘の骨架改良構造を提供し、各傘骨素子は外側段に、枝設計によりY字型の構造を形成し、各骨架外側段で、二の倍数で傘骨を密集させ、傘面外周に十分な支承を形成して、傘の美観を維持することにある。
【課題を解決するための手段】
【０００４】
本考案の多段式折り畳み傘の骨架改良構造は、内から外に順に、一節の主骨、一節の中骨、及び、一節の尾骨を枢結し、短骨により、外端を主骨中段に枢結し、引き線により、両端を主骨外端と尾骨内端に連接して、傘骨素子を構成する。
【考案の効果】
【０００５】
本考案により、多段式折り畳み傘は、傘面外周に十分な支承を形成して、傘の美観を維持することができる。
【考案を実施するための最良の形態】
【０００６】
図１、図２は、本考案の展開と収合状態の立体図であり、内から外に順に、一節の主骨１０、一節の中骨３０、及び、一節の尾骨４０を枢結し、短骨２０により、外端を主骨１０中段に枢結し、引き線７０により、両端を主骨１０外端と尾骨４０内端に連接して、傘骨素子を構成する。
【０００７】
中骨３０は、第一分枝中骨３１と第二分枝中骨３２からなる。
【０００８】
尾骨４０は、第一分枝尾骨４１と第二分枝尾骨４２からなる。
【０００９】
引き線７０は、第一引き線７１と第二引き線７２からなる。
【００１０】
上述の素子の組み合わせは、第一分枝中骨３１と第二分枝中骨３２の外端が、それぞれ、尾骨４０の第一分枝尾骨４１と第二分枝尾骨４２内端と枢結し、第一分枝中骨３１と第二分枝中骨３２の内端は、主骨１０外端に結合する連接部６０を結合し、第一引き線７１両端は、それぞれ、主骨１０外端と第一分枝尾骨４１内端を連接し、第二引き線７２の両端は、それぞれ、主骨１０外端と第二分枝尾骨４２内端を連接する。主骨１０外側は、第一分枝中骨３１、第二分枝中骨３２、第一分枝尾骨４１、第二分枝尾骨４２、及び、第一引き線７１、第二引き線７２により、Y字型構造の傘骨素子を構成する。主骨１０と短骨２０内端は、それぞれ、傘中棒５０の上巣５１と下巣５２外周の環列枢槽に枢結され、図１１で示されるような多段式折り畳み傘の骨架構造を構成する。骨架の展開時、Y字型構造の各傘骨素子により、各主骨１０外側段に、二の倍数で枢結される第一分枝中骨３１、第二分枝中骨３２、第一分枝尾骨４１、第二分枝尾骨４２が、傘面に対し、均一な支承機能を形成する。
【００１１】
図３で示されるように、第一分枝中骨３１と第二分枝中骨３２内端は剛性材料を採用し、主骨１０外端が枢結する連接部６０は、外端が大開口の扁平スリーブ体で、大開口の外端は、第一分子中骨３１と第二分枝中骨３２内端を挿入し、軸鞘６１を扁平スリーブ体に穿設して枢結し、第一分枝中骨３１と第二分枝中骨３２は、連接部６０外端の大開口でフレキシブルに一定角度開き、構造コストは若干高いが、フレキシブルな展開収合が可能である。
【００１２】
図４で示されるように、第一分枝中骨３１と第二分枝中骨３２は柔靭性材料を採用し、例えば、繊維やプラスチック材等で成型し、内端は、一体成型かその他の方式で連接部６０外端に固結する。連接部６０の内端と主骨１０（図３）外端が枢結し、両分枝中骨３１、３２自身の材質の柔靭性により一定角度開き、使用すると、前述の構造ほどフレキシブルではないが、このような構造はコストが比較的安い。
【００１３】
図５は、本考案の第一引き線、第二引き線と主骨外端の第一種結合実施例の断面図である。第一引き線７１と第二引き線７２は、一本の引き線が中段で湾曲し、中間の湾曲段７３を主骨１０の外端に穿設し、組み立て施工上困難であるが、構成された構造は頑丈で、脱落しにくい。
【００１４】
図６は、本考案の第一引き線、第二引き線と主骨外端の第二種結合実施例の断面図である。第一引き線７１と第二引き線７２は二つの独立した引き線で、両引き線の内端は、湾曲フック７１１、７２１により主骨１０外端の両側壁に固定される。
【００１５】
図７は、本考案の第一引き線、第二引き線と主骨外端の第三種結合実施例の断面図である。主骨１０の外端は、内部でフック部１１を凸出し、第一引き線７１と第二引き線７２内端で湾曲するフック部７１１、７２１を結合する。
【００１６】
図８は、本考案の第一引き線、第二引き線と主骨外端の第四種結合実施例の断面図である。主骨１０の外端内部は、中空の固定素子１２を結合することができ、第一引き線７１と第二引き線７２の内端は湾曲したフック部７１１、７２１により、主骨１０と固定素子１２の両側壁に固定される。
【００１７】
図９は、本考案の第一引き線、第二引き線と主骨外端の第五種結合実施例の断面図である。主骨１０外端は、軸鞘１３が両側壁を穿設し、第一引き線７１、第二引き線７２内端部の湾曲した環状スリーブ部７１２、７２２は、主骨１０両側壁間の軸鞘１３内側段に結合される。
【００１８】
図１０は、本考案の第一引き線、第二引き線と主骨外端の第六種結合実施例の断面図である。第一引き線７１、第二引き線７２内端が湾曲した環状スリーブ部７１２、７２２は、主骨１０両側壁の軸鞘１３外側段に結合される。
【図面の簡単な説明】
【００１９】
【図１】本考案の展開状態の立体図である。
【図２】本考案の収合状態の立体図である。
【図３】本考案の二分枝中骨と主骨外端の連接部結合の局部拡大図である。
【図４】本考案の二分枝中骨と主骨外端の連接部結合の局部拡大図である。
【図５】本考案の第一引き線と第二引き線と主骨外端の第一種結合実施例を示す図である。
【図６】本考案の第一引き線と第二引き線と主骨外端の第二種結合実施例を示す図である。
【図７】本考案の第一引き線と第二引き線と主骨外端の第三種結合実施例を示す図である。
【図８】本考案の第一引き線と第二引き線と主骨外端の第四種結合実施例を示す図である。
【図９】本考案の第一引き線と第二引き線と主骨外端の第五種結合実施例を示す図である。
【図１０】本考案の第一引き線と第二引き線と主骨外端の第六種結合実施例を示す図である。
【図１１】本考案の骨素子と傘中棒により構成される傘の骨架構造を示す図である。
【符号の説明】
【００２０】
主骨１０
軸鞘１３
短骨２０
中骨３０
第一分枝中骨３１
第二分枝中骨３２
尾骨４０
第一分枝尾骨４１
第二分枝尾骨４２
傘中棒５０
上巣５１
下巣５２
連接部６０
引き線７０
第一引き線７１
第二引き線７２
湾曲フック７１１、７２１
環状スリーブ部７１２、７２２
【図１】
0003148319.tif 000003
【図２】
0003148319.tif 000004
【図３】
0003148319.tif 000005
【図４】
0003148319.tif 000006
【図５】
0003148319.tif 000007
【図６】
0003148319.tif 000008
【図７】
0003148319.tif 000009
【図８】
0003148319.tif 000010
【図９】
0003148319.tif 000011
【図１０】
0003148319.tif 000012
【図１１】
0003148319.tif 000013